(57)【要約】【課題】芳香カプセルを有する加熱器を提供する。【解決手段】本考案の芳香カプセルを有する加熱器は、収容空間を有する加熱底台と、該収容空間中に安置される芳香カプセルと、該芳香カプセルを覆うことに用いるカバー部材と、を含み、そのうち、該芳香カプセルは、該加熱底台と接触し、開口を有する耐高温の容器と、芳香キャンドルであり、該耐高温の容器中に安置される芳香ブロックと、該開口を密封し、該芳香ブロックを該耐高温の容器中に密封する密封蓋と、を含む。使用者は、該芳香カプセルを使用する時、先ず該密封蓋を開き、該芳香ブロックを安置する耐高温の容器を該収容空間中に安置する。【選択図】図１
0003180859.tif 000002
【実用新案登録請求の範囲】
【請求項１】
収容空間を有する加熱底台と、
該加熱底台と接触し、開口を有する容器と、該容器中に安置する芳香ブロックと、を含み、該収容空間中に安置される芳香カプセルと、
該加熱底台上に結合し、該芳香カプセルを覆うことに用いるカバー部材と、
を含む芳香カプセルを有する加熱器。
【請求項２】
前記容器は、更に、密封蓋を結合し、該開口を密封し、該芳香ブロックを該容器中に密封する請求項１に記載の加熱器。
【請求項３】
前記芳香カプセルは、更に、該開口から延伸する延伸部材を含む請求項２に記載の加熱器。
【請求項４】
前記芳香カプセルは、更に、通気膜を結合し、該通気膜は、容器の開口に結合する請求項１に記載の加熱器。
【請求項５】
前記通気膜は、周縁を有し、該周縁は、該容器の開口を結合する請求項４に記載の加熱器。
【請求項６】
前記通気膜は、孔を有する不織布、繊維布、織布、又は通気孔を有するプラスチック膜、通孔のシリコンゲル等の何れか１種である請求項５に記載の加熱器。
【請求項７】
前記加熱底台は、更に、該収容空間に突出する凸壁を含む請求項１に記載の加熱器。
【請求項８】
加熱器中に応用される芳香カプセルであって、該加熱器は、収容空間を有する加熱底台を含み、該芳香カプセルは、
該収容空間中に安置され、該加熱底台と接触でき、開口を有する容器と、
該開口から延伸する延伸部材と、
該容器中に安置される芳香ブロックと、
該開口を密封し、該芳香ブロックを該容器中に密封する密封蓋と、
を含む芳香カプセル。
【請求項９】
前記芳香カプセルは、通気膜を更に結合し、該通気膜は、容器の開口に結合する請求項８に記載の加熱器。
【請求項１０】
該通気膜は、周縁を有し、該周縁は、該容器の開口に結合される請求項９に記載の加熱器。
【考案の詳細な説明】
【技術分野】
【０００１】
本考案は、芳香ブロックを加熱する加熱器に関し、特に、芳香カプセルを有する加熱器及び該芳香カプセルに関する。
【背景技術】
【０００２】
現代社会において、空気中の異臭を除去する、或いは、生活の楽しみを増やす為、多くの人は、芳香製品（例えば、精油又は芳香ブロック（又は芳香キャンドル））の使用し始めている。使用時、使用者は、先ず、芳香キャンドルを容器中から取り出し、加熱器の収容空間中に安置し、それから、該加熱器に対し、通電し、該加熱器に電力を発生させ、該芳香ブロックを加熱し、溶解させる。このようにして、該溶解された芳香ブロックは、香りを発出することができる。
【０００３】
しかしながら、上記の方式は、少なくとも以下の欠陥を有する：使用者は、別途特定の容器を準備し、該芳香ブロックを載置する必要がある；使用者は、該芳香ブロックを該容器中から注意深く取り出し、該加熱器の収容空間中に安置し、該芳香ブロックを汚さないようにしなければならない；該芳香ブロックの揮発完了後、使用者は、該収容空間を洗浄する必要がある；該収容空間が清潔に洗浄されていない場合、異なる香りの芳香ブロックと先の芳香ブロックの香りが混在する；該収容空間が壊れやすい材料（例えば、セラミック製品）から形成される場合、洗浄の過程において、該セラミック製品が破壊されないよう保護することが困難である。
【先行技術文献】
【特許文献】
【０００４】
【特許文献１】特開２０００−１８５０８９号公報
【考案の概要】
【考案が解決しようとする課題】
【０００５】
上記のように、従来の加熱器は、芳香ブロックを使用、交換する工程及び後続の加熱器を洗浄する過程において、本来生活の楽しみを増やし、気持ちをリラックスさせる芳香製品でなければならいが、上記の欠陥により、使用者に予期できない面倒をもたらす可能性がある。従って、当業者は、より使用に便利な芳香製品及び過熱を必要としている。
【課題を解決するための手段】
【０００６】
上記の問題を克服する為、本考案が提供する芳香カプセルを有する加熱器は、収容空間を有する加熱底台と、該収容空間中に安置する芳香カプセルと、該芳香カプセルを覆うことに用いるカバー部材と、を含み、そのうち、該芳香カプセルは、該加熱底台と接触し、開口を有する耐高温の容器と、該耐高温の容器中に安置する芳香ブロックと、該開口を密封し、該芳香ブロックを該耐高温の容器中に封入する密封蓋と、を含む。
【０００７】
本考案の実施例において、該耐高温の容器及び該収容空間の形状は、相互に適合する。
【０００８】
本考案の実施例において、該加熱底台は、更に、該収容空間に突出する凸壁を含む。
【０００９】
本考案のもう１つの実施例において、該芳香カプセルは、延伸部材を含み、該開口から延伸し、該延伸部材は、該開孔に平行又は垂直であることができる。
【００１０】
本考案の更にもう１つの実施例において、該カバー部材は、通気孔を有する。
【００１１】
本考案は、また、芳香カプセルを提供し、それは、加熱器中に応用され、該加熱器は、加熱底台を有し、該加熱底台は、収容空間を有し、該芳香カプセルは、該収容空間中に安置し、該加熱底台と接触でき、開口を有する耐高温の容器と、該開口から延伸し、該開孔と平行又は垂直である延伸部材と、該耐高温の容器中に安置する芳香ブロックと、該開口を密封し、該芳香ブロックを該耐高温の容器中に封入する密封蓋と、を含む。
【考案の効果】
【００１２】
従来の加熱器に比較し、本考案の加熱器は、それが有する芳香ブロックがカプセル式であることによって、使用者は、別途その他の容器を準備し、芳香ブロックを載置する必要がなく、芳香ブロックを安置する時に該芳香ブロックを汚すことがなく、新たな芳香ブロックは、旧芳香ブロックと混在することがなく、高温の容器を破壊することを心配する必要もない。
【図面の簡単な説明】
【００１３】
【図１】本考案中の芳香カプセルの加熱器の実施例の分解図である。
【図２】本考案中の芳香カプセルの分解図である。
【図３】本考案中の芳香カプセルの断面図である。
【図４】本考案の実施例中の芳香カプセルの加熱器の実施例の分解図である。
【図５】本考案の実施例中の芳香カプセルの分解図１である。
【図６】本考案の実施例中の芳香カプセルの分解図２である。
【図７】本考案の実施例中の芳香カプセルの断面図である。
【考案を実施するための形態】
【００１４】
図１、図２、図３を参照し、それは、本考案中の芳香カプセル１２を有する加熱器１の実施例の分解図、及び芳香カプセル１２の分解図、断面図である。該加熱器１は、セラミックボウル１６と、該セラミックボウル１６上に安置され、収容空間１００を有する加熱底台１０と、該収容空間１００中に安置される該芳香カプセル１２と、加熱底台10上に結合され、内部に加熱したい芳香カプセル１２を覆うことに用いるカバー部材１４と、を含む。
【００１５】
本考案の実施例において、該芳香カプセル１２は、該加熱底台１０と接触し、開口１２００を有する耐高温の容器１２０と、該耐高温の容器１２０中に安置する芳香ブロック１２２（例えば、芳香キャンドル）と、及び該開口１２００を密封し、該芳香ブロック１２２を該容器１２０中に封入し、保存時に芳香キャンドルの品質を保持することに用いる密封蓋１２４と、を含む。
【００１６】
使用時、使用者は、ただ該芳香カプセル１２を該収容空間１００中に安置し、該密封蓋１２４を開き、該加熱底台１０を通電するだけで、該芳香ブロック１２２を溶解でき、該芳香ブロック１２２の香りを空気中に発散させることができる。
【００１７】
該芳香ブロック１２２は、通常、約摂氏４０〜７０度で容易に溶解され、香りを散逸するので、本考案の実施例において、該芳香ブロック１２２は、芳香キャンドルであり、該加熱底台１０は、ただ該芳香キャンドルを約摂氏４０〜７０、好ましくは、約５０〜５５度に加熱するだけでよく、この温度範囲内で市場の一般の芳香製品は、香り品質を破壊することなく加熱されることができ、香りを迅速に環境中に散逸することを達成し、相応して、該耐高温の容器１２０は、摂氏４０〜７０度において、依然として溶解又は変形せず、加熱底台１０を通電後に発生する熱エネルギーを該芳香ブロック１２２に伝導できる材料で形成される。該容器１２０は、例えば、セラミック、金属、及び硬質プラスチック等であり、本実施例において、該耐高温の容器１２０は、金属で形成され、該金属は、アルミ箔（Fail）を選択し、軽く、薄い容器１２０を形成し、良好な熱伝導性能を有し、底台を加熱時の熱源を該芳香ブロック１２２に伝導し、香りを発散させることができ、且つ該アルミ箔の容器１２０は、破裂し難く、従来の加熱器の精油を収納するセラミックボウル、ガラス容器等の壊れやすい製品と異なり、且つ該密封蓋１２４は、芳香ブロック１２２又はその他の芳香製品を該アルミ箔の容器１２０中に密封し、該芳香製品の品質を保持することができる。
【００１８】
本考案の実施例において、該芳香ブロック１２２は、精油に置き換えることもできるが、好適には、依然として芳香ブロックを使用し、これは、該耐高温の容器１２０内は、芳香ブロックを安置する場合、使用者が密封蓋１２４を開く時、該使用者の手が震えても、該芳香ブロックは、該耐高温の容器１２０外に漏出することがないからである。
【００１９】
図３を参照し、それは、本考案中の芳香カプセル１２の断面図である。芳香ブロック１２２は、該耐高圧の容器１２０内に安置され、その他の容器内に安置されないので、使用者は、該芳香カプセル１２を使用する時、該密封蓋１２４を開くだけでよく、従って、該芳香ブロック１２２を汚すことがない。また、該芳香カプセル１２中の芳香ブロック１２２の揮発完了後、使用者は、異なる香りの芳香を使用したい場合、該耐高温の容器１２０を洗浄する必要がなく、ただ該耐高温の容器１２０を破棄し、異なる香りの芳香ブロックの芳香カプセルを該収容空間１００に安置するだけでよい。また、使用者は、該耐高温容器１２０を洗浄する必要がないので、該耐高温の容器１２０を破壊することを心配する必要がない。最後に、使用者は、該芳香ブロック１２２を載置する容器を別途準備する必要がない。
【００２０】
本考案の実施例において、該加熱底台１０が発生する熱エネルギーを該耐高温の容器１２０に十分に伝導することができ、該耐高温の容器１２０及び該収容空間１００の形状は、互いに適合し、即ち、該耐高温の容器１２０は、該収容空間１００と緊密に接触する。
【００２１】
本考案のもう１つの実施例において、使用者が該収容空間１００中から該芳香カプセル１２を便利に取り出すことができるように、該加熱底台１０は、凸壁１０２を含み、該収容空間に突出し、加熱効能以外に、使用者にその手指を該凸壁１０２に入れ、該芳香カプセル１２を該収容空間１００から便利に取り出すことできるようにする。また、本発明の更にもう１つの実施例において、該芳香カプセル１２の該耐高温の容器１２０は、該開口１２００から延伸する延伸部材１２０２を含み、該延伸部材１２０２は、該開口１２００に平行又は垂直であることができる。このように、使用者は、該延伸部材１２０２を手で持ち、該芳香カプセル１２を該収容容器１００から便利に取り出すことができる。
【００２２】
本考案の更にもう１つの実施例において、該カバー部材１４は、通気孔１４０を有し、上方向へ本考案の内部に散逸する香りを導出し、香りを環境中に平均的に散布させることに用いる。
【００２３】
図４、図５、図６、図７を参照し、本考案の実施例は、前記芳香カプセル１２の前記実施例の加熱使用状態において、傾けるか、又は芳香カプセル１２を芳香壁面挿入型ナイトライト（図示せず）内部に結合使用し、該芳香壁面挿入型ナイトライトの使用中に不注意で倒してしまった状況で、芳香カプセル１２内の加熱した芳香ブロック流体（例えば、芳香キャンドル）が滴り流れ得るので、本考案の実施例では、前記の芳香カプセル１２が更に通気膜１２６を結合し、前記通気膜１２６が通気孔１２６３を含み、例えば、孔を有する不織布、繊維布、織布、通気孔を有するプラスチック膜、通孔のシリコンゲル等の何れか１種を選択すし、該通気膜１２６は、周縁１２６１を有し、容器１２０の開口１２００を結合することに用い、該開口１２００を密封し、開口１２００内部で加熱使用中の芳香ブロック１２２の流体が、加熱器１中又は芳香壁挿入型ナイトライト内部に使用され、倒された時、該芳香ブロック１２２の加熱された流体が滴り流れることを防止する。
【００２４】
前記通気膜１２６の周縁１２６１は、開口１２００上側又は下側に隣接設置するか該周縁１２６１が該延伸部１２０２に結合し、その後、密封蓋１２４を通気膜１２６及び開口１２００上方に結合し、各種前記通気膜の周縁１２６１が容器の開口１２００の各種位置に結合し、何れも加熱流動中の芳香ブロック１２２の流体が倒されて滴り流れる問題をカバーすることができる。
【００２５】
従来の加熱器に比較し、本考案の加熱器は、それが有する芳香ブロックがカプセル式であることによって、使用者は、別途その他の容器を準備し、芳香ブロックを載置する必要がなく、芳香ブロックを安置する時に該芳香ブロックを汚すことがなく、新たな芳香ブロックは、旧芳香ブロックと混在することがなく、高温の容器を破壊することを心配する必要もない。
【００２６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２７】
１  加熱器
１０  加熱底台
１２  芳香カプセル
１４  カバー部材
１６  セラミックボウル
１００  収容空間
１０２  凸壁
１２０  容器
１２２  芳香ブロック
１２４  密封蓋
１２６  通気膜
１２６１  周縁
１２６３  通気孔
１４０  通気孔
１２００  開口
１２０２  延伸部材
【図１】
0003180859.tif 000003
【図２】
0003180859.tif 000004
【図３】
0003180859.tif 000005
【図４】
0003180859.tif 000006
【図５】
0003180859.tif 000007
【図６】
0003180859.tif 000008
【図７】
0003180859.tif 000009
【手続補正書】
【提出日】平成24年11月7日(2012.11.7)
【手続補正１】
【補正対象書類名】実用新案登録請求の範囲
【補正対象項目名】請求項９
【補正方法】変更
【補正の内容】
【請求項９】
前記芳香カプセルは、通気膜を更に結合し、該通気膜は、容器の開口に結合する請求項８に記載の芳香カプセル。
【手続補正２】
【補正対象書類名】実用新案登録請求の範囲
【補正対象項目名】請求項１０
【補正方法】変更
【補正の内容】
【請求項１０】
該通気膜は、周縁を有し、該周縁は、該容器の開口に結合される請求項９に記載の芳香カプセル。